(57)【要約】【課題】エレメント交換時の安全性や作業性を向上できる治具の実現。【解決手段】本発明に係るフィルタのエレメント交換用治具は、複数の長尺筒状エレメント２が並列に配置されたフィルタ１のエレメント交換用治具であって、使用済みのフィルタを取り付ける板状の取付部１１，１２と、前記取付部の表裏を反転するように回転可能に軸支する治具本体部２１〜２４と、前記取付部を回転操作すると共に、前記フィルタの上下が反転するように前記取付部を回転させた状態で保持するハンドル部３１と、を有する。【選択図】図１
2008229556.tif 000002
【特許請求の範囲】
【請求項１】
複数の長尺筒状エレメントが並列に配置されたフィルタのエレメント交換用治具であって、
使用済みのフィルタを取り付ける板状の取付部と、
前記取付部の表裏を反転するように回転可能に軸支する治具本体部と、
前記取付部を回転操作すると共に、前記フィルタの上下が反転するように前記取付部を回転させた状態で保持するハンドル部と、を有することを特徴とする治具。
【請求項２】
前記フィルタの上下が反転した状態の前記取付部を元の状態に戻す際に前記フィルタの重量と前記取付部の自重により加速される当該取付部の回転力を吸収するショックアブソーバを有することを特徴とする請求項１に記載の治具。
【発明の詳細な説明】
【技術分野】
【０００１】
本発明は、例えば、ビールろ過工程で微生物や不純物を除去するために使用されるキャンドルフィルタのエレメント交換用治具に関する。
【背景技術】
【０００２】
従来では、
例えば、特許文献１には、複数の筒状フィルタを直列に組み立てるための治具が記載されている。
【０００３】
また、ビールろ過工程で使用されるキャンドルフィルタのエレメント交換は、専用の治具にフィルタを固定した状態でフィルタ自体を作業者が手で持って１８０度回転させて行っている。
【特許文献１】特許第３４１６２３７号公報
【発明の開示】
【発明が解決しようとする課題】
【０００４】
しかしながら、従来は、作業者が重量物であるフィルタ自体を手で持って回転させるため、作業中に指を挟んだりすることがあり安全性に欠けている。また、フィルタが回り過ぎないように押さえておく作業者と、エレメントの交換作業を行う作業者が必要であり作業性に欠けている。
【０００５】
本発明は、上記課題に鑑みてなされ、その目的は、エレメント交換時の安全性や作業性を向上できる治具を実現することである。
【課題を解決するための手段】
【０００６】
上述の課題を解決し、目的を達成するため、本発明に係るフィルタのエレメント交換用治具は、複数の長尺筒状エレメント２が並列に配置されたフィルタ１のエレメント交換用治具であって、使用済みのフィルタを取り付ける板状の取付部１１，１２と、前記取付部の表裏を反転するように回転可能に軸支する治具本体部２１〜２４と、前記取付部を回転操作すると共に、前記フィルタの上下が反転するように前記取付部を回転させた状態で保持するハンドル部３１と、を有する。
【０００７】
また、好ましくは、前記フィルタの上下が反転した状態の前記取付部を元の状態に戻す際に前記フィルタの重量と前記取付部の自重により加速される当該取付部の回転力を吸収するショックアブソーバ４１を有する。
【発明の効果】
【０００８】
本発明によれば、治具の操作性やエレメント交換時の安全性を向上できる治具を実現できる。
【発明を実施するための最良の形態】
【０００９】
以下に、本発明の実施の形態について、添付図面を参照して詳細に説明する。
尚、以下に説明する実施の形態は、本発明の実現手段としての一例であり、本発明は、その趣旨を逸脱しない範囲で下記実施形態を修正又は変形したものに適用可能である。
【００１０】
図１は本発明に係る実施形態のフィルタのエレメント交換用治具を示す正面図（ａ）、側面図（ｂ）、平面図（ｃ）、及びキャンドルフィルタの外観図（ｄ）である。図２は図１の軸受部の部分拡大図である。
【００１１】
本実施形態は、図１（ｄ）に示すように、ビールろ過工程で微生物や不純物を除去するために使用されるキャンドルフィルタのエレメント交換用治具である。
【００１２】
キャンドルフィルタ１は、複数の長尺の筒状エレメント２が並列に密に配置されて全体の外観が円筒状に構成される。各エレメント２には珪藻土が担持されおり、このエレメント２の内部にビール液を通過させることにより、珪藻土がビール液中の不要な微生物や不純物をトラップする。このエレメント２は使用により詰まってくるので所定の使用回数ごとに交換する必要がある。
【００１３】
図１及び図２に示すように、本実施形態の治具１０は、このキャンドルフィルタ１を取り付けるための取付部１１と、取付部１１の表裏を反転するように回転可能に軸支する治具本体部２１と、取付部１１を回転操作するためのハンドル部３１と、を有する。
【００１４】
上記取付部１１は、円形状の開口部１２が形成された矩形状の天板部１３と、天板部１３の対向する２辺から下方に延びる脚部１４と、これら脚部１４から外方に突出する回転軸１５とを有し、これら回転軸１５が治具本体部２１の軸受部２４で軸支される。
【００１５】
上記治具本体部２１は、平板状の底板部２２と、この底板部２２から立設されて上端部に軸支部２４が形成された互いに対向する枠部２３とを有する。、
上記ハンドル部３１は、上記取付部１１の回転軸１５の少なくとも一方（両方に設けても良い）に連結されており、作業者がハンドル部３１を回転操作することで上記取付部１１の表裏を反転するように回転できる。
【００１６】
また、上記治具本体部２１又はハンドル部３１には、上記取付部１１の脚部１４又は回転軸１５をフィルタの上下が反転した状態で保持する保持部（不図示）が設けられる。
【００１７】
更に、上記ハンドル部３１と上記治具本体部２１との間にはショックアブソーバ４１が配置されている。ショックアブソーバ４１は、例えばガス式又は油圧式のシリンダで構成されており、一端部がハンドル部３１の内輪部分３２、他端部が治具本体部２１の枠部２３の連結部分２５に夫々回転自在に連結されており、フィルタの上下が反転した状態の取付部１１を元の状態に戻す際にフィルタの重量と取付部１１の自重により加速される当該取付部１１の回転力を吸収する。
【００１８】
更に、上記ハンドル部３１と軸受部２４との間にはカバー板４２が設けられており、ハンドル部３１を操作している作業者が取付部１１の軸受部２４やショックアブソーバ４１等の可動部分に容易に手を差し入れられないようにして保護している。
【００１９】
尚、上記取付部１１の脚部１４の一方の下端部であって、当該取付部１１の回転軸１５より下方にバランスウェイトを設けても良い。
【００２０】
作業者は、ホイスト等でフィルタを吊り上げて上記取付部１１に装着した後、ハンドル部３１を回転操作してフィルタの上下を反転させた状態に保持して、フィルタから使用後のエレメントを取り外し、新品のエレメントに交換することができる。
【００２１】
上記構成によれば、カバー板４２により治具の可動部分に作業者が容易に手を差し入れられないため、作業中に指を挟んだりすることを防止し安全性を高めることができる。また、ハンドル部３１を設けたことで、作業者がフィルタが回り過ぎないように押さえておく必要がなくなり、エレメントの交換作業を行う効率良く行うことができる。
【産業上の利用可能性】
【００２２】
以上説明した治具は、キャンドルフィルタのエレメント交換用に限定されず、本発明の趣旨を逸脱しない範囲で他の用途にも適用可能である。
【図面の簡単な説明】
【００２３】
【図１】本発明に係る実施形態のフィルタのエレメント交換用治具を示す正面図（ａ）、側面図（ｂ）、平面図（ｃ）、及びキャンドルフィルタの外観図（ｄ）である。
【図２】図１の軸受部の部分拡大図である。
【符号の説明】
【００２４】
１  キャンドルフィルタ
２  エレメント
１１  取付部
２１  治具本体部
３１  ハンドル部
４１  ショックアブソーバ
【図１】
2008229556.tif 000003
【図２】
2008229556.tif 000004